(57)【特許請求の範囲】
【請求項１】
収納キャビネットと、前記収納キャビネット内に設けた収納ラックと、前記収納ラックを昇降自在に支持する回転アームと、前記回転アームを回転可能に支持する昇降支持ユニットとを備えた昇降式収納装置であって、前記昇降支持ユニットを前記収納キャビネットの内側下部の左右の両側面にそれぞれ設け、前記収納ラックは第１収納部と第１収納部より上位で且つ前記収納キャビネット内に格納時に前記昇降支持ユニットより上位の第２収納部とを備え、前記第２収納部は前記第１収納部より幅広であり、前記回転アームは一端側が前記昇降支持ユニットの内側面に、他端側が第２収納部の側面に枢支されていて、左右の前記回転アームは前記収納ラックの側面に沿うと共に、第２収納部に枢支連結される側が外側に拡がるよう途中で屈曲していることを特徴とする昇降式収納装置。
【請求項２】
前記第１収納部は左右の前記昇降支持ユニットの間に収まることを特徴とする請求項１に記載の昇降式収納装置。
【発明の詳細な説明】
【０００１】
【発明の属する技術分野】
本発明はキッチンなどで使用する昇降式収納装置に関する。
【０００２】
【従来の技術】
従来この種の昇降式収納装置としては、例えば特開平７−３０３５３４号公報等に記載されるようなものがあり、図４は外観斜視図である。図４に示したように、従来の昇降式収納装置は、収納キャビネット１と、収納キャビネット１内に設けた収納ラック２と、収納ラック２を昇降自在に支持する直線形状からなる回転アーム３、４を有する一対の昇降支持装置５とで構成されていた。
【０００３】
収納ラック２は、回転アーム３、４の回動動作により昇降させることができ、昇降操作用のハンドル６を持って収納ラック２を引き降ろすことにより、高所に設置された収納キャビネット１から収納ラック２を降下させて、収納物を低い位置で出し入れすることができるようになっていた。なお、７は回転アーム３、４が同期して回動するように回転アーム３の基部間を連結する連動連結軸である。
【０００４】
【発明が解決しようとする課題】
しかしながら、上記従来の昇降式収納装置では、収納ラック２の幅寸法が主に昇降支持装置５の厚みで決定されるとともに、上下の幅寸法が一定であり、特に昇降支持装置５の上方に何ら使用されていない空間が生じて、収納ラック２の収納容積および収納効率の面で収納キャビネット１内を十分に活用していないという課題を有していた。
【０００５】
また、収納ラック２は、回動昇降時に連動連結軸７および収納キャビネット１の底板８との接触を避けるために、収納ラック２の後方下部にコーナー逃がし部９が必要となり、平面的な収納面積が減少するという課題を有していた。
【０００６】
本発明は、上記従来の課題を解決するもので、収納ラックに幅広の第２収納部を備えることにより、収納効率の良い昇降式収納装置の提供を目的とする。
【０００７】
【課題を解決するための手段】
上記従来の課題を解決するために、本発明の昇降式収納装置は、収納ラックに第１収納部と第１収納部より幅広の第２収納部を備えたものである。これにより第２収納部の収納容積を拡大することができるとともに、収納効率を向上するものである。
【０００８】
【発明の実施の形態】
請求項１に記載の発明の昇降式収納装置は、収納キャビネットと、前記収納キャビネット内に設けた収納ラックと、前記収納ラックを昇降自在に支持する回転アームと、前記回転アームを回転可能に支持する昇降支持ユニットとを備えた昇降式収納装置であって、前記昇降支持ユニットを前記収納キャビネットの内側下部の左右の両側面にそれぞれ設け、前記収納ラックは第１収納部と第１収納部より上位で且つ前記収納キャビネット内に格納時に前記昇降支持ユニットより上位の第２収納部とを備え、前記第２収納部は前記第１収納部より幅広であり、前記回転アームは一端側が前記昇降支持ユニットの内側面に、他端側が第２収納部の側面に枢支されていて、左右の前記回転アームは前記収納ラックの側面に沿うと共に、第２収納部に枢支連結される側が外側に拡がるよう途中で屈曲していることにより、第２収納部の収納容積を拡大することができるとともに、収納効率の良い昇降式収納装置を提供することができる。また、第２収納部を昇降支持ユニットの上位に備えたことにより、収納ラックの回動昇降時に昇降支持ユニットとの接触を避けることができるとともに、第２収納部の幅寸法を最大限に大きくすることができ、収納キャビネット内の空間を十分に活用することができる。
【０００９】
請求項２に記載の発明の昇降式収納装置は、特に第１収納部が左右の上記昇降支持ユニットの間に収まっている。
【００１６】
【実施例】
以下、本発明の実施例について、図１〜図３を参照しながら説明する。
【００１７】
図１は本発明の実施例の昇降式収納装置における収納ラックの降下状態を示す側断面図、図２は同収納装置における収納ラックの格納状態を示す正面図、図３は同収納装置の降下状態を示し、キッチンへの設置例を示す側断面図である。
【００１８】
図１〜図３において、１１はキッチンなどの壁面上方に設置された収納キャビネットであり、この収納キャビネット１１の内側の両側面には、前方に収納キャビネット１１の底板１２との接触を回避するために屈曲し、先端を再度逆方向に屈曲した略Ｓの字形状の第１回転アーム１３と、後方に略Ｓの字形アーム１３との接触を回避した略Ｌの字形状の第２回転アーム１４の２本が、同一平面上に設置されるとともに、第１回転アーム１３と第２回転アーム１４とを回転可能に枢支する昇降支持ユニット１５が構成されている。また、こうして第１回転アーム１３を略Ｓの字形状にすることにより、第２回転アーム１４の先端との接触も回避される。
【００１９】
１６は昇降支持ユニット１５の外部に配設されゴム状の緩衝材１７を有したストッパーであり、第２回転アーム１４の回動角度を規制するように構成される。１８は左右に対向する第１回転アーム１３の基部間を連結する連動連結軸で、この連動連結軸１８により両第１回転アーム１３が同体回動するように構成される。
【００２０】
１９は通常、収納キャビネット１１内に格納される収納ラックで、本体２０とこの本体２０に連結する両サイドの側板２１により、少なくとも第１収納部２２と、格納時において昇降支持ユニット１５より上方を幅広に構成した第２収納部２３との二つを備えている。本体２０は第１収納部２２の底面２４を前面から背面部まで平面形状で構成される。
【００２１】
２５は収納ラック１９に内設される線材よりなる棚部材で、第２収納部２３の底面２６と同等高さに設置される。また、両側板２１間は下方をパイプなどよりなる昇降操作用のハンドル２７で、上方は第２収納部２３の収納高さを規制するコの字形に曲げたパイプなどよりなる横連結部材２８で連結され、本体２０および側板２１の上端をもって収納ラック１９の最上部２９とする。
【００２２】
昇降支持ユニット１５に枢支された第１回転アーム１３および第２回転アーム１４の先端は、支持部材３０に枢支されるとともに、幅広の第２収納部２３を構成する側板２１をこの支持部材３０と連結することにより、四辺の平行リンク機構３１が構成され、収納ラック１９は昇降自在に支持されるものである。
【００２３】
また、第１、第２回転アーム１３、１４は、収納ラック１９の傾斜を防止する傾斜補正手段３２を設けている。この傾斜補正手段３２としては、第１回転アーム１３の枢支点間距離Ｒ１を、第２回転アーム１４の枢支点間距離Ｒ２に対し、数mm長く構成している。こうして平行リンク機構３１をわずかに変形させることにより、第１、第２回転アーム１３、１４の枢支点などに隙間が存在するために収納ラック１９や収納物の重量によって発生する収納ラック１９の前方への傾斜を防止するものである。
【００２４】
また、昇降支持ユニット１５の内部には、第２回転アーム１４の回動、すなわち収納ラック１９の昇降に連動作用する緩衝手段３３および付勢手段３４の両方、あるいはいずれか一方が構成されている。（図１にのみ記載）なお、３５は収納キャビネット１１の前方に設けた開閉自在の扉体、３６は開閉用のヒンジである（図３にのみ記載）。
【００２５】
上記の構成において、収納ラック１９の降下時は、使用者がハンドル２７を持って収納ラック１９を引き降ろすと、収納ラック１９は昇降支持ユニット１５が回転可能に枢支する第１、第２回転アーム１３、１４が構成する平行リンク機構３１と傾斜補正手段３２により、常に水平状態で図１に一点鎖線で示す如く円弧状に回動して、最大降下位置に降下される。この時緩衝手段３３、付勢手段３４は、収納ラック１９がゆっくり降下するように作用する。
【００２６】
ここで上記収納ラック１９は、これを支持する第１、第２回転アーム１３、１４が直線状ではなく略Ｓの字形、略Ｌの字形に屈曲しているとともに、第１、第２回転アーム１３、１４を第２収納部２３と連結し枢支点間距離（Ｒ１、Ｒ２）を大きく構成しているので、大きく降下させることができる。すなわち収納ラック１９を支持する第１、第２回転アーム１３、１４が屈曲しているため、これらが収納キャビネット１１の底板１２に接触する位置が直線状のアームに比べるとかなり低い位置となり、収納ラック１９はその最上部２９が収納キャビネット１１の底板１２の位置よりも低い位置まで降下させることができる。
【００２７】
この実施例では、ストッパー１６によって収納ラック１９は、その最上部２９が収納キャビネット１１の底板１２の高さと略同等高さで停止するように構成されている。
【００２８】
そして、収納ラック１９の最大降下位置で収納物を出し入れした後、収納ラック１９の上昇格納時は、再度ハンドル２７を持って収納ラック１９を押し上げると、収納ラック１９は降下時と同様に円弧状に回動して、収納キャビネット１１内でストッパー１６により所定位置で停止し格納されるものである。この時付勢手段３４は、収納ラック１９を上昇する際の操作力が小さくなるように作用する。
【００２９】
次に本発明の昇降式収納装置の設置例について説明する。
【００３０】
図３に示すように、収納キャビネット１１は、標準的なウォールキャビネットを想定し、外形寸法で高さ７００mm、奥行３５０mmを採用した。収納キャビネット１１の標準設置高さは、昇降式収納装置の下方に設置するフロアキャビネット３７などとの距離的な関係で、床面３８から収納キャビネット１１の天面３９まで２３００mm前後が一般的である。また、この収納キャビネット１１に格納される収納ラック１９および横連結部材２８の総高さ（Ａ）は、約６００mmである。
【００３１】
収納ラック１９の最大降下位置において、収納ラック１９の最上部２９と収納キャビネット１１の底板１２の高さを、略同等高さに構成すると、収納キャビネット１１の底板１２から第１収納部２２の底面２４までの距離（Ｂ）は、４５０mm前後となる。
【００３２】
したがって、収納ラック１９の最大降下位置において、床面３８から第１収納部２２の底面２４までの距離（Ｃ）は、１１５０mm前後となる。また、同じく床面３８から横連結部材２８までの距離（Ｄ）は、１７５０mm前後となる。また、この時第２収納部２３の底面２６および棚部材２５の高さは、床面３８から１４００mm前後となり、成人女性（老人を除く）の約９０％の目線と同等高さになるように構成されている。
【００３３】
出し入れ可能な高さは、およそ両腕を上げた状態の親指の高さまでであり、指関節までの高さとすることができる。成人女性（老人を除く）では、指先までの高さ（上肢拳上指先端高）から指先の長さ（第三指長）を引いた１０パーセンタイル値は１８００mmであり、すなわち、本昇降式収納装置の設置例では、約９０％の成人女性が収納ラック１９の最上部２９以上、横連結部材２８まで手が届き、収納物を出し入れすることができるとともに、収納ラック１９の全収納容積を有効に活用することができる。
【００３４】
以上のように、収納ラック１９に第１収納部２２と幅広の第２収納部２３を備えたことにより、第２収納部２３の収納容積を拡大することができるとともに、収納効率の良い昇降式収納装置を提供することができる。
【００３５】
また、第２収納部２３を昇降支持ユニット１５の上方に備えたことにより、収納ラック１９の回動昇降時に昇降支持ユニット１５との接触を避けることができるとともに、第２収納部２３の幅寸法を最大限に大きくすることができ、収納キャビネット１１内の空間を十分に活用することができる。
【００３６】
また、幅広の第２収納部２３の底面２６と収納ラック１９に内設する棚部材２５を同等高さに構成したことにより、第２収納部２３の底面２６と棚部材２５間にフラット面を形成することができ、収納物の傾きや転倒を防止することができる。
【００３７】
また、第１収納部２２の底面２４を前面から背面部まで平面形状としたことにより、コーナー部の収納性が良くなるとともに、収納容積を拡大することができる。
【００３８】
また、第１、第２回転アーム１３、１４を、それぞれ略Ｓの字形アームと略Ｌの字形アームにしたことにより、収納ラック１９の昇降時に収納キャビネット１１に接触することも、第１、第２回転アーム１３、１４同士が干渉することもなく、収納ラック１９を単なる直線状アームよりも、より低い位置まで降下することができる。
【００３９】
また、回転アーム１３、１４に構成した収納ラック１９の支持部材３０を第２収納部２３と連結したことにより、回転アーム１３、１４の枢支点間距離（Ｒ１、Ｒ２）を大きくすることができ、安定した昇降を得ることができるとともに、大きな円弧の回動となり、上記したように第１収納部２２の底面２４を前面から背面部まで容易に平面形状とすることができる。
【００４０】
また、回転アーム１３、１４を同一平面上に構成したことにより、回転アーム１３、１４の回動動作に必要な空間が最小限で済むことになり、その分第１収納部２２および第２収納部２３ともに幅寸法を最大限に大きくすることができ、収納容積を拡大することができる。
【００４１】
また、回転アーム１３、１４に収納ラック１９の傾斜を防止する傾斜補正手段３２を備えたことにより、収納ラック１９や収納物の重量によって、収納ラック１９が傾斜することを補正して、収納物の移動や転倒を防止することができるとともに、外観的にも使用者に安心感を与えることができる。
【００４２】
【発明の効果】
以上のように、請求項１、２に記載の発明によれば、収納ラックに第１収納部と第１収納部より幅広の第２収納部を備えたことにより、第２収納部の収納容積を拡大することができるとともに、収納効率の良い昇降式収納装置を提供することができる。
【００４３】
また、第２収納部を昇降支持ユニットの上方に備えたことにより、収納ラックの回動昇降時に昇降支持ユニットとの接触を避けることができるとともに、第２収納部の幅寸法を最大限に大きくすることができ、収納キャビネット内の空間を十分に活用することができる。
【図面の簡単な説明】
【図１】本発明の実施例の昇降式収納装置における収納ラックの降下状態を示す側断面図
【図２】同収納装置における収納ラックの格納状態を示す正面図
【図３】同収納装置の降下状態を示し、キッチンへの設置例を示す側断面図
【図４】従来の昇降式収納装置における外観斜視図
【符号の説明】
１１  収納キャビネット
１３  第１回転アーム（略Ｓの字形アーム）
１４  第２回転アーム（略Ｌの字形アーム）
１５  昇降支持ユニット
１９  収納ラック
２２  第１収納部
２３  第２収納部
２４  第１収納部底面
２５  棚部材
２６  第２収納部底面
３０  支持部材
３２  傾斜補正手段
【図１】
0004433627.tif 000002
【図２】
0004433627.tif 000003
【図３】
0004433627.tif 000004
【図４】
0004433627.tif 000005